(57)【要約】      （修正有）【課題】墓石内空間への水侵入防止および耐震機能に優れた墓構造を提供する。【解決手段】平面視四角枠状の直立した腰石を設け、腰石上面に当接して、平面視長方形平板によるコーピン型敷石１４〜１７を設けるとともに、コーピン型敷石を縦方向に分割形成し、これらの分割したコーピン型敷石相互の当接部１８〜２１を、墓石の後方から前方に向けた直線状としたことを特徴とする。墓石全体を前方方向へやや下降傾斜させた場合における該敷石上面での雨水の流れが良くなり、排水機能を向上させることができる。また、コーピン型敷石により囲まれる空隙内に上台下部を挿入載置する構成としたので、上台の安定度が高く地震に強い構造となる。【選択図】図２
0003205434.tif 000002
【実用新案登録請求の範囲】
【請求項１】
平面視四角枠状の直立した腰石を設け、該腰石上面に当接して、平面視長方形平板によるコーピン型敷石を設けるとともに、該コーピン型敷石を縦方向に分割形成することにて、これらの分割したコーピン型敷石相互の当接部を、墓石の後方から前方に向けた直線状としたことを特徴とする水侵入防止機能を有する墓構造。
【請求項２】
コーピン型敷石を、内方に向かって一段下がった段部平面を有するものとした請求項１記載の水侵入防止機能を有する墓構造。
【請求項３】
上台下部辺もしくはコーピン型敷石の上部辺を曲面状に形成してなる請求項１または２記載の水侵入防止機能を有する墓構造。
【請求項４】
コーピン型敷石相互の当接部を、相互に組み合う段部形状としてなる請求項１から３のいずれかの項に記載の水侵入防止機能を有する墓構造。
【考案の詳細な説明】
【技術分野】
【０００１】  この考案は、墓内空隙への水の侵入防止可能なる墓構造に関する。
【背景技術】
【０００２】  従来より、種々の形式の墓が用いられているが、本案に示すように、上部敷石を分割型として、この敷石の後方から前方に向かって分割線を有するものは見当たらない。
【考案の概要】
【考案が解決しようとする課題】
【０００３】  墓構造においては、納骨所（カロート）を有して、このカロート内に骨を納めるが、地上にこのカロートを有する墓石構造も多用されている。この場合、地上立設された腰石上に上部敷石を載置固定し、該敷石下方をカロートとするのであるが、通常はこの敷石を切除した形状となるために、敷石を分割形成する。この分割の場合において、敷石の側方方向に分割するために、この分割部分から水がしみこみやすくなるのである。
つまり、一般的手法としては、基礎コンクリート上にモルタルを介して分割した敷石を，その端面を互いに近接させて位置させ、この近接箇所にコーキング処理を行うのであるが、経年変化にてこのコーキングのひび割れ現象が発生して、このひび割れ箇所から雨水等が侵入し、とりわけ寒冷地冬期においては、この侵入した水が敷石下にて凍結し、敷石を持ち上げるなどの問題が発生するのである。
また、敷石の後方から前方に向けてある程度の下降傾斜を設けて、この敷石上面の雨水排除をする方式においても、やはり分割部分にてその雨水の流れが円滑でなくなるために、コーキング箇所に雨水が溜まりやすくなり、上記問題が発生するという問題を有している。
本案は以上に鑑み、後述する仕組みにて、前記の分割方向を敷石後方から前方へ向かうものとして、敷石を前方に向けて下降傾斜させる場合における敷石上面雨水の円滑なる排除を可能として、既述の問題の解決を可能とするべく発案されたものである。
【課題を解決するための手段】
【０００４】  課題を解決する手段として本案は以下の構成とした。
すなわち、平面視四角枠状の直立した腰石を設け、該腰石上面に当接して、内方に向けて一段下がった段部平面を有したコーピン型敷石を設けるとともに、該コーピン型敷石を縦方向に分割形成することにて、これらの分割したコーピン型敷石相互の当接部を、墓石の後方から前方に向けた直線状とする。
本案は以上の構成よりなる水侵入防止機能を有する墓構造である。
【考案の効果】
【０００５】  本案は下記の効果を有する。
１．腰石上面に位置する分割したコーピン型敷石の相互当接部を，墓石後方から前方へ向  かうものとすることにて、墓石全体を前方方向へやや下降傾斜させた場合における該敷  石上面での雨水の流れを良くして、排水機能を向上させることができる。
２．コーピン型敷石上に挿入載置される墓石上台の下部辺もしくはコーピン型敷石上部を  曲面加工することにて、その挿入を容易とすることができる。
３．コーピン型敷石の相互当接部に段部を設けることにて，墓石空間内への雨水侵入防止  機能を高めることができる。
４．コーピン型敷石により囲まれる空隙内にて、上台下部を挿入載置する構成としたので  、単なる平板上の載置による従来法に比べて、上台の安定度を高めて地震に強い構造と  することができる。
【図面の簡単な説明】
【０００６】
【図１】  本考案の要部構造説明図（コーピン型敷石載置前）
【図２】  本考案の要部構造説明図（コーピン型敷石載置後）
【図３】  Ａ−Ａ断面における拡大説明図（一部略）
【図４】  Ｂ−Ｂ断面における拡大説明図（一部略）
【図５】  本考案の墓完成例図
【図６】  本考案の要部説明図
【図７】  本考案の要部説明図（ＡＢ箇所）
【図７】  本考案の要部説明図（ＡＢ箇所）
【考案を実施するための最良の形態】
【０００７】  以下、本考案の実施形態について説明する。
図において、１は前方腰石で、所定厚長方形状石材による直立平板で、その中央には前方通気口２が穿設される。３および４は同様の直立平板による側方腰石で、前方腰石の後方両サイドに位置する。５は後方腰石で、側方腰石間にて直立位置している。
６および７は中胴石で、側方腰石間にて所定距離を有して直立対向位置する。
この中胴石の中央下部には通気孔８および９が設けられる。１０および１１は補強石で、双方の中胴石間にて直立して当接位置する。
以上の腰石と中胴石および補強石の上面は同一平面に位置し、これらの各石は固着等にて相互固定される。１２はその中央を一段低く形成してなる平板状石材による前方敷石で、その中央上面には滑り止め加工部１３が形成される。この前方敷石は、前方腰石の前面に図のごとく当接して位置する。【０００８】  １４および１５はコーピン型側方敷石で、図２にて示すように、内方に向けて一段下がった段部を有する平面視長方形石材平板である。このコーピン型側方敷石は、図にて示すように、前記の各腰石上面に接して段部を内方に向けて対向位置する。
１６はコーピン型後方敷石で、双方のコーピン型側方敷石間に図のごとく当接して位置する。１７はコーピン型前方敷石で、同様に双方のコーピン型側方敷石間に当接して位置する。
これらの各コーピン型敷石は、その上面は同一平面上にあり、また、一段下がった段部による平面も各々同一平面上として、各々内方に向けて位置している。
各コーピン型敷石の当接にて、当接部１８〜２１が形成され、これらの当接部は必要に応じてコーキング処理がなされる。以上が本案の主要構成である。【０００９】  墓構造の完成のためには、以下の構成物が設けられる。
すなわち、図７にて示されるように、上台３０、竿石３１、供物台３２、スライド式供物台３３、花立て３４を有する構成物が、前記の本案構成物の上に設けられる。
この上台の下方サイズは、段部を有して下方突出部を有しており、この突出部分が前記のコーピン型敷石の段部および空隙部に図３〜図４のごとく挿入載置固定される。
以上にて本案墓構造による墓石が完成する。また、付加的に防風灯４０、拝石４１、収納庫４２、墓誌４３等が設置される。【００１０】  既述の中胴石と補強石、コーピン型敷石、上台下部により囲まれる空間はカロートとして用いられる。このカロート内への水侵入を防ぐために、本案構成にては図２に示す当接部１８〜２１の構成としている。コーピン型敷石はその扱いと加工上、三分割にて形成するが、図８に示す従来例では、その当接部は墓の前方側が下降傾斜している場合において、敷石上面雨水の流れる方向に対して直角方向となっているために、雨水の円滑な流れが阻害されがちである。これに対し本案では、雨水流れと同一方向に当接部が位置しているために、カロート内への雨水侵入を従来例に比べて低下させることができる。【００１１】  図５〜図６は本案の変化例を示すものである。上台下部とコーピン型敷石は、図３〜図４にて示すように、双方の直角部分が接しての挿入となるが、この挿入時における双方石材の相互位置を正確に合わせねばならず、作業経験を必要とする。
図５の例では、コーピン型敷石内方前後および左右を曲面状に形成しており、この挿入がし易くなる利点を有している。なお、逆に上台下部辺に曲面状部分を設けたり、あるいは曲面に代えて傾斜面を用いてもよい。
図６の例は、当接するコーピン型敷石の当接構造の変化例を示すものである。
既述の例では、隣り合うコーピン型敷石の当接面は直線的であるが、本例では図のごとく段部を有するものとして、水侵入に対してより効果的に形成したものである。【００１２】  以上、本案について記したが、本案はコーピン型敷石の当接部方向を従来例とは異なって墓石後方から前方へ向かうものとして、石上面の雨水排除効果を向上させたものである。
本案では図示しなかったが、墓石全体をわずかに前方へ向けての下降傾斜とすることにて、本案効果を発揮させることができる。なお、カロート内湿度調整のために、各通気口を設けて構成している。
コーピン型敷石は、既例においては一段下がった段部を有するものとしたが、この段部を設けずに、平面視における単なる長方形平板として用いることもできる。なお、コーピンとは、墓外柵の上に位置する石材のことである。
本案では図２のごとく、コーピン型敷石を用いて、中央に空隙を形成し、この空隙に図３〜図４のように、上台下部の下方突出部分が挿入位置するので、単なる載置方式の従来法に比べて、上台の保持性が高まり、地震などの場合における墓石の安定度を高めた構造としている。なお、既述の例は実施の一例であって、近似の他の構成としてもよい。
以上のごとく、本案によって墓石上面の雨水排除に効果的なる墓構造を得ることができる。
【符号の説明】
【００１３】１    前方腰石
２    通気口
３    側方腰石
４    側方腰石
５    後方腰石
６    中胴石
７    中胴石
８    通気口
９    通気口
１０  補強石
１１  補強石
１２  前方敷石
１３  滑り止め加工部
１４  コーピン型側方敷石
１５  コーピン型側方敷石
１６  コーピン型後方敷石
１７  コーピン型前方敷石
１８  当接部
１９  当接部
２０  当接部
２１  当接部
３０  上台
３０ａ  上台下部辺
３１  竿石
３２  供物台
３３  スライド式供物台
３４  花立て
４０  防風灯
４１  拝石
４２  収納庫
４３  墓誌
Ａ    上台とコーピン型敷石の要部（左側面視）
Ｂ    上台とコーピン型敷石の要部（正面視）
【図１】
0003205434.tif 000003
【図２】
0003205434.tif 000004
【図３】
0003205434.tif 000005
【図４】
0003205434.tif 000006
【図５】
0003205434.tif 000007
【図６】
0003205434.tif 000008
【図７】
0003205434.tif 000009
【図８】
0003205434.tif 000010
【手続補正書】
【提出日】平成28年5月25日(2016.5.25)
【手続補正１】
【補正対象書類名】明細書
【補正対象項目名】０００６
【補正方法】変更
【補正の内容】
【０００６】
【図１】本考案の要部構造説明図（コーピン型敷石載置前）
【図２】本考案の要部構造説明図（コーピン型敷石載置後）
【図３】Ａ−Ａ断面における拡大説明図（一部略）
【図４】Ｂ−Ｂ断面における拡大説明図（一部略）
【図５】本考案の墓完成例図
【図６】本考案の要部説明図
【図７】本考案の要部説明図（ＡＢ箇所）
【図８】本考案の要部説明図（ＡＢ箇所）